【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
第２の長手方向部材を受け入れるように構成された内部チャンバ、前記内部チャンバを取り囲む外側表面、近位端に設けられた第１の領域、遠位端に設けられた第２の領域、及び長さ
を有する、第１の長手方向部材と；
前記第１の領域と前記第２の領域との間で、前記第１の長手方向部材の前記長さの一部に沿って延びる、前記外側表面の開口と；
前記開口に近接して設けられ、第１の位置から第２の位置に変えることが可能なように構成される、撓み機構と
を備え、前記撓み機構が前記第２の位置にある場合に、前記第２の長手方向部材が前記第２の領域にアクセスし、前記撓み機構が前記第１の位置にある場合に、前記開口に向かって前記第２の長手方向部材を撓ませることが可能なように前記撓み機構が構成される、方向変更送達カテーテル。
【請求項２】
前記撓み機構が、前記撓み機構に連結された支持要素をさらに備える、請求項１に記載のカテーテル。
【請求項３】
前記支持要素が、押し付けることが可能な円形リングまたは対の磁石を含む、請求項２に記載のカテーテル。
【請求項４】
前記撓み機構が、押し付けることが可能なチューブ、一方向弁、対の磁石または膜を含む、請求項１に記載のカテーテル。
【請求項５】
前記開口近くに配置された１つまたは複数の放射線不透過性マーカをさらに備える、請求項１に記載のカテーテル。
【請求項６】
前記第１または第２の領域が、らせん状の外観を有する、請求項１に記載のカテーテル。
【請求項７】
前記第１または第２の領域が、複数のワイヤを備える、請求項１に記載のカテーテル。
【請求項８】
前記複数のワイヤが、少なくとも２つの異なる直径を備える、請求項７に記載のカテーテル。
【請求項９】
前記複数のワイヤが、電極または導電性ワイヤであるように構成される、請求項７に記載のカテーテル。
【請求項１０】
前記内部チャンバが、ガイドワイヤを受け入れるように構成される、請求項１に記載のカテーテル。
【請求項１１】
ガイドワイヤと；
方向変更送達カテーテルと
を備える再疎通システムであって、前記方向変更送達カテーテルが、
前記ガイドワイヤを受け入れるように構成された内部チャンバ、前記内部チャンバを取り囲む外側表面、近位端に設けられた第１の領域、遠位端に設けられた第２の領域、及び長さ
を有する、第１の長手方向部材と、
前記第１の領域と前記第２の領域との間で、前記第１の長手方向部材の前記長さの一部に沿って延びる、前記外側表面の開口と、
前記開口に近接して設けられ、第１の位置から第２の位置に変えることが可能なように構成される、撓み機構と
を備え、前記撓み機構が前記第２の位置にある場合に、前記ガイドワイヤが前記第２の領域にアクセスし、前記撓み機構が前記第１の位置にある場合に、前記開口に向かって前記ガイドワイヤを撓ませることが可能なように前記撓み機構が構成される、前記再疎通システム。
【請求項１２】
前記ガイドワイヤが、１つまたは複数の電極を備える、請求項１１に記載のシステム。
【請求項１３】
１つまたは複数の電極を備えるバルーンカテーテルをさらに備える、請求項１１に記載のシステム。
【請求項１４】
前記１つまたは複数の電極のうち少なくとも１つが、前記バルーンカテーテルの内部に設けられた、請求項１３に記載のシステム。
【請求項１５】
前記撓み機構が、前記撓み機構に連結された支持要素をさらに備える、請求項１１に記載のシステム。
【請求項１６】
前記支持要素が、押し付けることが可能な円形リングまたは対の磁石を含む、請求項１５に記載のシステム。
【請求項１７】
前記撓み機構が、押し付けることが可能なチューブ、一方向弁、対の磁石または膜を含む、請求項１１に記載のシステム。
【請求項１８】
前記方向変更送達カテーテルが、前記開口近くに配置された１つまたは複数の放射線不透過性マーカをさらに備える、請求項１１に記載のシステム。
【請求項１９】
前記第１または第２の領域が、らせん状の外観を有する、請求項１１に記載のシステム。
【請求項２０】
前記第１または第２の領域が、複数のワイヤを備える、請求項１１に記載のシステム。
【請求項２１】
前記複数のワイヤが、少なくとも２つの異なる直径を備える、請求項２０に記載のシステム。
【請求項２２】
前記複数のワイヤが、電極または導電性ワイヤであるように構成される、請求項２０に記載のシステム。
【手続補正２】
【補正対象書類名】明細書
【補正対象項目名】００１８
【補正方法】変更
【補正の内容】
【００１８】
本技術は、閉塞部を通るまたは閉塞部の周りの長手方向部材を使用して、当該長手方向部材の方向を変更することによって、より安全に、かつより効果的なエネルギ送達を可能にすることを含むいくつかの利点を提供する。さらに、当該カテ−テルは、再疎通治療のためのエネルギを送達するために、内膜下空間のような第２の位置から長手方向部材を介してエネルギの送達を可能にするように構成され得る。
[本発明1001]
第2の長手方向部材を受け入れるように構成された内部チャンバ、前記内部チャンバを取り囲む外側表面、近位端に設けられた第1の領域、遠位端に設けられた第2の領域、及び長さ
を有する、第1の長手方向部材と；
前記第1の領域と前記第2の領域との間で、前記第1の長手方向部材の前記長さの一部に沿って延びる、前記外側表面の開口と；
前記開口に近接して設けられ、第1の位置から第2の位置に変えることが可能なように構成される、撓み機構と
を備え、前記撓み機構が前記第2の位置にある場合に、前記第2の長手方向部材が前記第2の領域にアクセスし、前記撓み機構が前記第1の位置にある場合に、前記開口に向かって前記第2の長手方向部材を撓ませることが可能なように前記撓み機構が構成される、方向変更送達カテーテル。
[本発明1002]
前記撓み機構が、前記撓み機構に連結された支持要素をさらに備える、本発明1001のカテーテル。
[本発明1003]
前記支持要素が、押し付けることが可能な円形リングまたは対の磁石を含む、本発明1002のカテーテル。
[本発明1004]
前記撓み機構が、押し付けることが可能なチューブ、一方向弁、対の磁石または膜を含む、本発明1001のカテーテル。
[本発明1005]
前記開口近くに配置された1つまたは複数の放射線不透過性マーカをさらに備える、本発明1001のカテーテル。
[本発明1006]
前記第1または第2の領域が、らせん状の外観を有する、本発明1001のカテーテル。
[本発明1007]
前記第1または第2の領域が、複数のワイヤを備える、本発明1001のカテーテル。
[本発明1008]
前記複数のワイヤが、少なくとも2つの異なる直径を備える、本発明1007のカテーテル。
[本発明1009]
前記複数のワイヤが、電極または導電性ワイヤであるように構成される、本発明1007のカテーテル。
[本発明1010]
前記内部チャンバが、ガイドワイヤを受け入れるように構成される、本発明1001のカテーテル。
[本発明1011]
ガイドワイヤと；
方向変更送達カテーテルと
を備える再疎通システムであって、前記方向変更送達カテーテルが、
前記ガイドワイヤを受け入れるように構成された内部チャンバ、前記内部チャンバを取り囲む外側表面、近位端に設けられた第1の領域、遠位端に設けられた第2の領域、及び長さ
を有する、第1の長手方向部材と、
前記第1の領域と前記第2の領域との間で、前記第1の長手方向部材の前記長さの一部に沿って延びる、前記外側表面の開口と、
前記開口に近接して設けられ、第1の位置から第2の位置に変えることが可能なように構成される、撓み機構と
を備え、前記撓み機構が前記第2の位置にある場合に、前記ガイドワイヤが前記第2の領域にアクセスし、前記撓み機構が前記第1の位置にある場合に、前記開口に向かって前記ガイドワイヤを撓ませることが可能なように前記撓み機構が構成される、前記再疎通システム。
[本発明1012]
前記ガイドワイヤが、1つまたは複数の電極を備える、本発明1011のシステム。
[本発明1013]
1つまたは複数の電極を備えるバルーンカテーテルをさらに備える、本発明1011のシステム。
[本発明1014]
前記1つまたは複数の電極のうち少なくとも1つが、前記バルーンカテーテルの内部に設けられた、本発明1013のシステム。
[本発明1015]
前記撓み機構が、前記撓み機構に連結された支持要素をさらに備える、本発明1011のシステム。
[本発明1016]
前記支持要素が、押し付けることが可能な円形リングまたは対の磁石を含む、本発明1015のシステム。
[本発明1017]
前記撓み機構が、押し付けることが可能なチューブ、一方向弁、対の磁石または膜を含む、本発明1011のシステム。
[本発明1018]
前記方向変更送達カテーテルが、前記開口近くに配置された1つまたは複数の放射線不透過性マーカをさらに備える、本発明1011のシステム。
[本発明1019]
前記第1または第2の領域が、らせん状の外観を有する、本発明1011のシステム。
[本発明1020]
前記第1または第2の領域が、複数のワイヤを備える、本発明1011のシステム。
[本発明1021]
前記複数のワイヤが、少なくとも2つの異なる直径を備える、本発明1020のシステム。
[本発明1022]
前記複数のワイヤが、電極または導電性ワイヤであるように構成される、本発明1020のシステム。
[本発明1023]
ガイドワイヤの方向変更方法であって、以下の段階を含む、方法：
患者の血管内に前記ガイドワイヤを挿入する段階と；
前記ガイドワイヤに沿って方向変更送達カテーテルを前進させる段階であって、前記方向変更送達カテーテルが、
前記ガイドワイヤを受け入れるように構成された内部チャンバ、前記内部チャンバを取り囲む外側表面、近位端に設けられた第1の領域、遠位端に設けられた第2の領域、及び長さ
を有する、第1の長手方向部材と、
前記第1の領域と前記第2の領域との間で、前記第1の長手方向部材の前記長さの一部に沿って延びる、前記外側表面の開口と、
前記開口に近接して設けられ、第1の位置から第2の位置に変えることが可能なように構成される、撓み機構と
を備え、前記撓み機構が前記第2の位置にある場合に、前記ガイドワイヤが前記第2の領域にアクセスし、前記撓み機構が前記第1の位置にある場合に、前記開口に向かって前記ガイドワイヤを撓ませることが可能なように前記撓み機構が構成され、前記前進が、前記ガイドワイヤを前記第1の領域に部分的に位置させる、段階と；
前記ガイドワイヤを前記第2の領域に後退させ、前記撓み機構を前記第1の位置から前記第2の位置へと変える段階と；
前記ガイドワイヤを前記撓み機構に向かって前進させ、前記開口に向かって前記ガイドワイヤの方向変更を行う段階。
[本発明1024]
前記ガイドワイヤが、前記方向変更送達カテーテルの遠位開口に対して横方向に方向変更される、本発明1023の方法。
[本発明1025]
前記ガイドワイヤの前記方向変更に由来する横への力を制限するために、前記ガイドワイヤからのエネルギを印加する段階をさらに含む、本発明1024の方法。
[本発明1026]
前記ガイドワイヤが3次元のガイドワイヤを含み、該3次元のガイドワイヤの前進が、前記ガイドワイヤの前記方向変更に由来する横への力を制限するために該3次元のガイドワイヤを回転させることを含む、本発明1024の方法。
[本発明1027]
前記エネルギが、高周波、超音波、マイクロ波またはレーザを含む、本発明1025の方法。
[本発明1028]
前記ガイドワイヤが、分岐部を治療するために方向変更される、本発明1023の方法。
[本発明1029]
前記方向変更送達カテーテルの前記開口を、前記開口の近くに設けられた1つまたは複数の放射線不透過性マーカを使用して標的領域に位置合わせする段階をさらに含む、本発明1023の方法。
[本発明1030]
前記ガイドワイヤが、遠位先端に導電性電極を備える、本発明1023の方法。
[本発明1031]
前記遠位先端の前記導電性電極と第2の導電性電極との間で双極の配置を作るために、前記第2の導電性電極を前記開口近くの位置に前進させる段階をさらに含む、本発明1030の方法。